(57)【要約】  装着が容易な尿取パッドを提供する。尿取パッド（１）は、陰茎から排泄される尿を吸収する尿取パッドである。尿取パッド（１）は、中心部（１０）、及び周辺部（２０）を備えている。中心部（１０）は、装着時に陰茎が当接する部分である。周辺部（２０）は、中心部（１０）を包囲するように設けられており、非装着時に平面形状を有する。中心部（１０）は、周辺部（２０）が平面形状を保った状態で、外側に膨れるように構成されている。
2017208410.tif 000002
【特許請求の範囲】
【請求項１】
陰茎から排泄される尿を吸収する尿取パッドであって、  前記陰茎が当接する中心部と、  前記中心部を包囲するように設けられ、非装着時に平面形状を有する周辺部と、を備え、  前記中心部は、前記周辺部が前記平面形状を保った状態で、外側に膨れるように構成されていることを特徴とする尿取パッド。
【請求項２】
請求項１に記載の尿取パッドにおいて、  前記中心部は、前記周辺部よりも高い吸水性を有する尿取パッド。
【請求項３】
請求項２に記載の尿取パッドにおいて、  前記中心部の厚みは、前記周辺部の厚みよりも大きい尿取パッド。
【請求項４】
請求項１乃至３の何れかに記載の尿取パッドにおいて、  前記中心部は、高吸水性樹脂を含有している尿取パッド。
【請求項５】
請求項４に記載の尿取パッドにおいて、  前記高吸水性樹脂は、前記中心部及び前記周辺部のうち前記中心部にのみ含有されている尿取パッド。
【請求項６】
請求項１乃至５の何れかに記載の尿取パッドにおいて、  前記中心部には、前記陰茎が当該中心部を貫通できるように裂開する部分である裂開予定部が設けられている尿取パッド。
【請求項７】
請求項６に記載の尿取パッドにおいて、  前記裂開予定部は、当該尿取パッドの上下方向に延びている尿取パッド。
【請求項８】
請求項６又は７に記載の尿取パッドにおいて、  前記裂開予定部は、当該裂開予定部の延在方向について、前記中心部の全体にわたって設けられている尿取パッド。
【請求項９】
請求項６乃至８の何れかに記載の尿取パッドにおいて、  前記裂開予定部は、前記中心部及び前記周辺部のうち前記中心部にのみ設けられている尿取パッド。
【請求項１０】
請求項６乃至９の何れかに記載の尿取パッドにおいて、  前記中心部には、前記裂開予定部に沿って予め切目が形成されている尿取パッド。
【請求項１１】
請求項１０に記載の尿取パッドにおいて、  前記中心部における前記裂開予定部の一方の側に広がる部分と、前記中心部における前記裂開予定部の他方の側に広がる部分とは、前記裂開予定部において互いに重なり合っている尿取パッド。
【請求項１２】
請求項６乃至９の何れかに記載の尿取パッドにおいて、  前記中心部は、前記裂開予定部の両側を引っ張ったときに初めて、当該裂開予定部に沿った切目が生じるように構成されている尿取パッド。
【請求項１３】
請求項１２に記載の尿取パッドにおいて、  前記中心部には、前記裂開予定部に沿ってミシン目が形成されている尿取パッド。
【請求項１４】
請求項１乃至１３の何れかに記載の尿取パッドにおいて、  当該尿取パッドは、上端部が外側に折り返されるように塑性変形することが可能である尿取パッド。
【請求項１５】
請求項１４に記載の尿取パッドにおいて、  当該尿取パッドの前記上端部の近傍には、当該尿取パッドの上下方向に延びる線状の可塑性部材が取り付けられている尿取パッド。
【請求項１６】
請求項１乃至１５の何れかに記載の尿取パッドにおいて、  前記中心部の内側には、ポケットが設けられている尿取パッド。
【請求項１７】
請求項１６に記載の尿取パッドにおいて、  前記ポケットに収容される吸水性シートを備える尿取パッド。
【請求項１８】
請求項１乃至１７の何れかに記載の尿取パッドにおいて、  当該尿取パッドは、水洗トイレに流すことが可能である尿取パッド。
【発明の詳細な説明】
【技術分野】
【０００１】  本発明は、男性用の尿取パッドに関する。
【背景技術】
【０００２】  従来の尿取パッドとしては、例えば特許文献１に記載されたものがある。同文献に記載された尿取パッドは、陰茎から排泄される尿を吸収する男性用の尿取パッドであって、横長の長方形状をしている。この尿取パッドは、装着に際して、次のように組み立てられる。まず、左下の角部を右斜め上方向に折り返した後、当該折返し部分に重なるようにして右下の角部を左斜め上方向に折り返す。次に、折返し部分どうしを両面接着テープで固定する。それにより、円錐形状の陰茎収容部が得られる。
【先行技術文献】
【特許文献】
【０００３】
【特許文献１】特開２００４−５７５７８号公報
【発明の概要】
【発明が解決しようとする課題】
【０００４】  特許文献１に記載された尿取パッドにおいては、装着に際して、上述のような組立作業を行うことが必要となる。そのため、装着時に手間がかかるという問題がある。【０００５】  本発明は、上記課題に鑑みてなされたものであり、装着が容易な尿取パッドを提供することを目的とする。
【課題を解決するための手段】
【０００６】  本発明による尿取パッドは、陰茎から排泄される尿を吸収する尿取パッドであって、上記陰茎が当接する中心部と、上記中心部を包囲するように設けられ、非装着時に平面形状を有する周辺部と、を備え、上記中心部は、上記周辺部が上記平面形状を保った状態で、外側に膨れるように構成されていることを特徴とする。【０００７】  この尿取パッドにおいては、陰茎が当接する中心部と、中心部を包囲する周辺部とが設けられている。そして、中心部は、尿取パッドの外側に膨れるように構成されている。このように中心部が外側に膨れることにより、中心部の内側には、陰茎を収容する空間が形成される。このため、当該尿取パッドは、陰茎及びその周囲の肌に宛がうだけで装着可能である。それゆえ、装着に際して、尿取パッドの組立作業を行う必要がない。これにより、装着時の手間が省けるため、尿取パッドの装着が容易となる。
【発明の効果】
【０００８】  本発明によれば、装着が容易な尿取パッドが実現される。
【図面の簡単な説明】
【０００９】
【図１】本発明による尿取パッドの第１実施形態を示す平面図である。
【図２】図１のII−II線に沿った端面図である。
【図３】図１のIII−III線に沿った端面図である。
【図４】図２の円Ｃ１で囲まれた部分を示す拡大図である。
【図５】図１の尿取パッドの装着の仕方を説明するための図である。
【図６】本発明による尿取パッドの第２実施形態を示す平面図である。
【図７】図６のVII−VII線に沿った端面図である。
【図８】図６の尿取パッドにおいて裂開予定部が裂開した状態を示す平面図である。
【図９】図８のIX−IX線に沿った端面図である。
【図１０】本発明による尿取パッドの第３実施形態を示す平面図である。
【図１１】図１０のXI−XI線に沿った端面図である。
【図１２】図１０の尿取パッドにおいて裂開予定部が裂開した状態を示す平面図である。
【図１３】図１２のXIII−XIII線に沿った端面図である。
【図１４】一変形例に係る尿取パッドを示す平面図である。
【図１５】図１４の尿取パッドにおいて上端部が折り返された状態を示す端面図である。
【図１６】他の変形例に係る尿取パッドを示す平面図である。
【図１７】図１６の尿取パッドにおいてポケットに吸水性シートが収容された状態を示す平面図である。
【図１８】図１６の尿取パッドにおいてポケットに吸水性シートが収容された状態を示す平面図である。
【発明を実施するための形態】
【００１０】  以下、図面を参照しつつ、本発明の実施形態について詳細に説明する。なお、図面の説明においては、同一要素には同一符号を付し、重複する説明を省略する。（第１実施形態）
【００１１】  図１は、本発明による尿取パッドの第１実施形態を示す平面図である。尿取パッド１は、陰茎から排泄される尿を吸収する男性用の尿取パッドである。尿取パッド１は、平面視で矩形をしている。同図は、尿取パッド１の内面（装着時に陰茎に対向する側である内側の面）を示している。尿取パッド１の上下方向（図１の上下方向に等しい。）の長さは、例えば、１０ｃｍ以上３０ｃｍ以下である。また、尿取パッド１の左右方向（図１の左右方向に等しい。）の長さは、例えば、５ｃｍ以上１５ｃｍ以下である。この尿取パッド１は、水洗トイレに流すことが可能であることが好ましい。
【００１２】  尿取パッド１は、中心部１０、及び周辺部２０を備えている。これらの中心部１０と周辺部２０とは、互いに連設されている。中心部１０は、装着時に陰茎が当接する部分である。本実施形態において中心部１０は、平面視で、縦長の楕円形をしている。中心部１０の上下方向の長さ（長軸の長さ）は、例えば、５ｃｍ以上１０ｃｍ以下である。また、中心部１０の左右方向の長さ（短軸の長さ）は、例えば、３ｃｍ以上６ｃｍ以下である。中心部１０は、通気性を有することが好ましい。
【００１３】  周辺部２０は、中心部１０を包囲するように設けられている。中心部１０の周囲全体が、周辺部２０によって包囲されている。周辺部２０は、非装着時に平面形状を有する。ここで、「平面形状を有する」とは、周辺部２０の全体が同一平面上に存在するということである。平面視で、周辺部２０の面積は、中心部１０の面積よりも大きい。
【００１４】  図２は、図１のII−II線に沿った端面図である。また、図３は、図１のIII−III線に沿った端面図である。これらの図からわかるように、中心部１０は、周辺部２０が平面形状を保った状態で、外側に膨れるように構成されている。これにより、尿取パッド１の内側には凹部が生じ、外側には凸部が生じている。この状態で、中心部１０の径ｄ１（図３参照）は、中心部１０の深さｄ２よりも大きい。ここで、中心部１０の径は、平面視で中心部１０を内包し得る最小の円の直径として定義される。本実施形態におけるように中心部１０の平面形状が楕円形である場合、中心部１０の径は、長軸の長さに等しくなる。また、中心部１０の厚みは、周辺部２０の厚みよりも大きい。中心部１０は、周辺部２０よりも高い吸水性を有している。
【００１５】  図４は、図２の円Ｃ１で囲まれた部分を示す拡大図である。尿取パッド１は、内側シート１４、外側シート１６及び吸水層１８からなる三層構造を有している。内側シート１４は、尿取パッド１の内面を構成しており、透水性を有している。内側シート１４は、尿取パッド１の内面の全体にわたって設けられている。すなわち、内側シート１４は、中心部１０から周辺部２０まで連続して設けられている。内側シート１４の材料としては、例えば透水性の不織布を用いることができる。
【００１６】  外側シート１６は、尿取パッド１の外面（外側の面）を構成しており、不透水性（防水性）を有している。外側シート１６は、尿取パッド１の外面の全体にわたって設けられている。すなわち、外側シート１６は、中心部１０から周辺部２０まで連続して設けられている。外側シート１６の材料としては、例えば、不透水性の不織布又はプラスチックを用いることができる。外側シート１６は、中心部１０において、上記不織布及びプラスチックからなるラミネート構造を有していてもよい。
【００１７】  吸水層１８は、内側シート１４と外側シート１６との間に設けられており、吸水性を有している。吸水層１８は、内側シート１４と外側シート１６とで挟まれた領域の略全体に設けられている。ただし、中心部１０における吸水層１８の厚みは、周辺部２０における吸水層１８の厚みよりも大きい。このため、尿取パッド１においては、上述のように、中心部１０の厚みが、周辺部２０の厚みよりも大きくなっている。
【００１８】  吸水層１８の材料としては、例えば、高吸水性樹脂、紙粉等を用いることができる。吸水層１８の材料として高吸水性樹脂を用いる場合、当該高吸水性樹脂は、中心部１０及び周辺部２０のうち中心部１０にのみ含有されてもよいし、中心部１０及び周辺部２０の双方に含有されてもよい。
【００１９】  図５を参照しつつ、尿取パッド１の装着の仕方を説明する。尿取パッド１は、陰茎９０及びその周囲の肌に宛がうようにして装着される。このとき、中心部１０の内側に陰茎９０が当接するように、尿取パッド１の位置を合わせる。また、尿取パッド１の上下方向及び左右方向がそれぞれ身体の上下方向及び左右方向に一致するように、尿取パッド１の向きを合わせる。この状態のまま尿取パッド１の上から下着等を着用することにより、尿取パッド１を身体に固定することができる。なお、尿取パッド１の外面には、当該尿取パッド１を下着等に貼着するための粘着テープが設けられていてもよい。
【００２０】  尿取パッド１の効果を説明する。尿取パッド１においては、陰茎が当接する中心部１０と、中心部１０を包囲する周辺部２０とが設けられている。そして、中心部１０は、尿取パッド１の外側に膨れるように構成されている。このように中心部１０が外側に膨れることにより、中心部１０の内側には、陰茎を収容する空間が形成される。このため、尿取パッド１は、陰茎及びその周囲の肌に宛がうだけで装着可能である。それゆえ、装着に際して、尿取パッド１の組立作業を行う必要がない。これにより、装着時の手間が省けるため、尿取パッド１の装着が容易となる。かかる尿取パッド１は、軽度の尿漏れ対策用として特に好適に用いることができる。
【００２１】  特に中心部１０は、周辺部２０が平面形状を保った状態のままでも、尿取パッド１の外側に膨れることが可能である。すなわち、尿取パッド１の中心部１０のみを局所的に膨れさせることが可能である。このため、周辺部２０を陰茎の周囲の肌に密着させたまま、陰茎を収容する空間（中心部１０の内側の凹部）を確保することができる。
【００２２】  この点、全体が平面形状を有するシート状の尿取パッドであっても、装着時に尿取パッドの一部が外側に膨れるように折り曲げることにより、陰茎を収容する空間を確保することは可能である。しかしながら、当該尿取パッドは全体が平面形状を有するため、その一部のみを局所的に膨れさせることは困難である。すなわち、尿取パッドの一部を膨れさせようとすると、その周辺部も追随して変形してしまう。そのため、当該周辺部を陰茎の周囲の肌に密着させにくいという問題がある。これに対し、本実施形態においては、周辺部２０の変形を伴うことなく中心部１０だけを外側に膨れさせることが可能であるため、周辺部２０を肌に密着させやすいという利点がある。
【００２３】  尿取パッド１において中心部１０は、周辺部２０よりも高い吸水性を有している。中心部１０は、陰茎から排泄された尿を直接に受ける部分である。それゆえ、かかる中心部１０の吸水性を高くすることにより、尿取パッド１の吸収力を効率良く高めることができる。他方、中心部１０以外の部分の吸水性を低くすることは、尿取パッド１の製造コストを小さく抑えるのに有利である。
【００２４】  中心部１０の厚みは、周辺部２０の厚みよりも大きい。これにより、周辺部２０よりも高い吸水性を有する中心部１０を容易に実現することができる。例えば中心部１０及び周辺部２０に同一の材料を用いた場合であっても、中心部１０の厚みを大きくすることにより、中心部１０の吸水性を周辺部２０よりも高くすることができる。他方、周辺部２０の厚みを小さくすることは、装着時における尿取パッド１の嵩張りを小さく抑えるのに有利である。
【００２５】  平面視で、周辺部２０の面積は、中心部１０の面積よりも大きい。このように周辺部２０の面積を大きくすることにより、陰茎の周囲の肌と下着との間に挟まれる部分の面積が広くなる。このことは、尿取パッド１を身体に対して安定的に固定するのに有利である。
【００２６】  中心部１０が外側に膨れた状態で、中心部１０においては、径の方が深さよりも大きい。このように中心部１０の径を大きくすることにより、中心部１０の内側の空間内で、陰茎の位置や向きを変えやすくなる。このことは、尿取パッド１の装着時の快適性を高めるのに有利である。
【００２７】  中心部１０が高吸水性樹脂を含有する場合、尿取パッド１の吸収力（特に吸水量）を高めることができる。さらに、中心部１０だけでなく周辺部２０も高吸水性樹脂を含有する場合、尿取パッド１の吸収力を一層高めることができる。このように高吸水性樹脂は、尿取パッド１の吸収力に寄与する反面、吸水すると膨潤する性質を有する。高吸水性樹脂の膨潤は、尿取パッド１の嵩張りにつながる。そこで、嵩張りを小さく抑えつつ尿取パッド１の吸収力を効率良く高める観点からは、中心部１０及び周辺部２０のうち中心部１０にのみ高吸水性樹脂を含有させることが好ましい。
【００２８】  尿取パッド１の外面に粘着テープが設けられている場合、身体に対する尿取パッド１の固定を強固にすることができる。
【００２９】  尿取パッド１が水洗トイレに流すことが可能なものである場合、使用済みの尿取パッド１を水洗トイレに流して処分することができるため、尿取パッド１の利便性が向上する。（第２実施形態）
【００３０】  図６は、本発明による尿取パッドの第２実施形態を示す平面図である。また、図７は、図６のVII−VII線に沿った端面図である。尿取パッド２は、陰茎から排泄される尿を吸収する男性用の尿取パッドである。尿取パッド２は、中心部３０、及び周辺部２０を備えている。周辺部２０の構成は、第１実施形態で説明したとおりである。中心部３０と周辺部２０とは、互いに連設されている。中心部３０は、装着時に陰茎が当接する部分である。中心部３０は、周辺部２０が平面形状を保った状態で、外側に膨れるように構成されている。
【００３１】  中心部３０には、裂開予定部３２が設けられている。裂開予定部３２は、陰茎が中心部３０を貫通できるように裂開する部分である。裂開予定部３２は、線状をしており、尿取パッド２の上下方向に延びている。裂開予定部３２は、その延在方向（尿取パッド２の上下方向）について、中心部３０の全体にわたって設けられている。すなわち、裂開予定部３２は、中心部３０を縦断している。また、裂開予定部３２は、中心部３０及び周辺部２０のうち中心部３０にのみ設けられている。中心部３０には、裂開予定部３２に沿って予め切目が形成されていてもよい。あるいは、中心部３０は、裂開予定部３２の両側を引っ張ったときに初めて、当該裂開予定部３２に沿った切目が生じるように構成されていてもよい。後者の構成は、例えば、裂開予定部３２に沿ったミシン目を中心部３０に形成することにより実現することができる。
【００３２】  図８は、尿取パッド２において裂開予定部３２が裂開した状態を示す平面図である。また、図９は、図８のIX−IX線に沿った端面図である。裂開予定部３２に沿って切目が入った状態でその両側を引っ張ることにより、両図に示すように裂開予定部３２を裂開させることができる。尿取パッド２のその他の構成は、尿取パッド１と同様である。
【００３３】  尿取パッド２の効果を説明する。尿取パッド２においては、陰茎が当接する中心部３０と、中心部３０を包囲する周辺部２０とが設けられている。そして、中心部３０は、尿取パッド２の外側に膨れるように構成されている。このように中心部３０が外側に膨れることにより、中心部３０の内側には、陰茎を収容する空間が形成される。このため、尿取パッド２は、陰茎及びその周囲の肌に宛がうだけで装着可能である。それゆえ、装着に際して、尿取パッド２の組立作業を行う必要がない。これにより、装着時の手間が省けるため、尿取パッド２の装着が容易となる。
【００３４】  中心部３０には、裂開予定部３２が設けられている。裂開予定部３２を裂開させることにより、中心部３０に開口を形成することができる。当該開口を通じて、陰茎を尿取パッド２の外側に出すことができる。このため、尿取パッド２を装着した状態のままでも、便器に直接排尿することが可能となる。
【００３５】  裂開予定部３２は、尿取パッド２の上下方向に延びている。この場合、裂開予定部３２の両側を左右に引っ張ることにより裂開予定部３２を裂開させることができる。このため、裂開予定部３２の裂開動作を装着者自身で行いやすいという利点がある。
【００３６】  裂開予定部３２は、その延在方向について、中心部３０の全体にわたって設けられている。これにより、裂開予定部３２を大きく裂開させることができるため、陰茎を尿取パッド２の外側に出しやすくなる。
【００３７】  裂開予定部３２は、中心部３０及び周辺部２０のうち中心部３０にのみ設けられている。この場合、裂開予定部３２が裂開した状態においても、周辺部２０に不必要な開口が生じないようにすることができる。これにより、陰茎の周囲の肌に対する周辺部２０の密着度が低下するのを防ぐことができる。
【００３８】  裂開予定部３２に沿った切目が中心部３０に予め形成されている場合、裂開予定部３２の両側を軽く引っ張るだけで裂開予定部３２を裂開させることができる。このため、陰茎を尿取パッド２の外側に容易に出すことができる。
【００３９】  裂開予定部３２の両側を引っ張ったときに初めて切目が生じる構成の場合、裂開予定部３２を裂開させる前に、尿取パッド２に不必要な開口が生じるのを防ぐことができる。尿取パッド２のその他の効果は、尿取パッド１と同様である。（第３実施形態）
【００４０】  図１０は、本発明による尿取パッドの第３実施形態を示す平面図である。また、図１１は、図１０のXI−XI線に沿った端面図である。尿取パッド３は、陰茎から排泄される尿を吸収する男性用の尿取パッドである。尿取パッド３は、中心部４０、及び周辺部２０を備えている。周辺部２０の構成は、第１実施形態で説明したとおりである。中心部４０と周辺部２０とは、互いに連設されている。中心部４０は、装着時に陰茎が当接する部分である。中心部４０は、周辺部２０が平面形状を保った状態で、外側に膨れるように構成されている。
【００４１】  中心部４０には、裂開予定部４２が設けられている。裂開予定部４２は、陰茎が中心部４０を貫通できるように裂開する部分である。裂開予定部４２は、尿取パッド３の上下方向に延びている。裂開予定部４２は、その延在方向（尿取パッド３の上下方向）について、中心部４０の全体にわたって設けられている。また、裂開予定部４２は、中心部４０及び周辺部２０のうち中心部４０にのみ設けられている。中心部４０には、裂開予定部４２に沿って予め切目が形成されている。中心部４０における裂開予定部４２の一方の側に広がる部分４０ａと、中心部４０における裂開予定部４２の他方の側に広がる部分４０ｂとは、裂開予定部４２において互いに重なり合っている。
【００４２】  図１２は、尿取パッド３において裂開予定部４２が裂開した状態を示す平面図である。また、図１３は、図１２のXIII−XIII線に沿った端面図である。裂開予定部４２の両側を引っ張ることにより、両図に示すように裂開予定部４２を裂開させることができる。尿取パッド３のその他の構成は、尿取パッド２と同様である。
【００４３】  尿取パッド３の効果を説明する。尿取パッド３においては、陰茎が当接する中心部４０と、中心部４０を包囲する周辺部２０とが設けられている。そして、中心部４０は、尿取パッド３の外側に膨れるように構成されている。このように中心部４０が外側に膨れることにより、中心部４０の内側には、陰茎を収容する空間が形成される。このため、尿取パッド３は、陰茎及びその周囲の肌に宛がうだけで装着可能である。それゆえ、装着に際して、尿取パッド３の組立作業を行う必要がない。これにより、装着時の手間が省けるため、尿取パッド３の装着が容易となる。
【００４４】  中心部４０における裂開予定部４２の一方の側に広がる部分４０ａと、中心部４０における裂開予定部４２の他方の側に広がる部分４０ｂとは、裂開予定部４２において互いに重なり合っている。これにより、裂開予定部４２が裂開していない状態のときに、裂開予定部４２の切目を通じて尿が尿取パッド３の外に漏れる事態を防ぐことができる。尿取パッド３のその他の効果は、尿取パッド２と同様である。
【００４５】  本発明は、上記実施形態に限定されるものではなく、様々な変形が可能である。上記実施形態において、尿取パッドは、上端部が外側に折り返されるように塑性変形することが可能であってもよい。かかる構成は、例えば図１４に示すように、尿取パッドの上端部の近傍に線状の可塑性部材５０を取り付けることにより、実現することができる。同図は、例として、図１に示した尿取パッドに可塑性部材５０を取り付けた場合を示している。図１４においては、２つの可塑性部材５０が取り付けられている。各可塑性部材５０は、尿取パッド１の上下方向に延びている。一方の可塑性部材５０は尿取パッド１の左端に沿って設けられており、他方の可塑性部材５０は尿取パッド１の右端に沿って設けられている。
【００４６】  上記構成によれば、図１５に示すように、尿取パッド１の上端部が外側に折り返された形状を維持することができる。同図は、図１４のXV−XV線に沿った端面に相当する。折り返された尿取パッド１の上端部を下着等の上端部に掛止することにより、身体に対する尿取パッド１の固定を強固にすることができる。
【００４７】  上記実施形態において、中心部の内側には、吸水性シートを収容するポケットが設けられていてもよい。図１６は、例として、図１に示した尿取パッドにポケット６２，６４が設けられた場合を示している。これらのポケット６２，６４は、透水性を有している。図１６において、ポケット６２は中心部１０の左半分の領域内に設けられており、ポケット６４は中心部１０の右半分の領域内に設けられている。ポケット６２は、ポケット６４に対向する部分（ポケット６２の右端部）が開口となっており、この部分から吸水性シートを出し入れすることができる。同様に、ポケット６４は、ポケット６２に対向する部分（ポケット６４の左端部）が開口となっており、この部分から吸水性シートを出し入れすることができる。
【００４８】  例えば図１７に示すように、ポケット６２，６４には、共通の吸水性シートが収容されてもよい。同図においては、ポケット６２，６４を跨ぐようにして１つの吸水性シート７０が収容されている。あるいは図１８に示すように、ポケット６２，６４には、別々の吸水性シートが収容されてもよい。同図においては、ポケット６２に吸水性シート７２が収容され、ポケット６４に吸水性シート７４が収容されている。
【００４９】  上記構成によれば、ポケットに吸水性シートを収容することにより、尿取パッドの吸収力を増強することができる。また、吸水性シートを適宜交換することにより、１つの尿取パッドを長時間にわたって使用することができる。
【００５０】  上記実施形態においては、中心部１０が尿取パッドの幾何学的中心上に設けられた場合を例示した。しかし、中心部１０は、尿取パッドの幾何学的中心から外れた位置に設けられてもよい。中心部３０，４０についても同様である。
【００５１】  上記実施形態においては、中心部１０が平面視で楕円形である場合を例示した。しかし、中心部１０の平面形状は、任意であり、例えば円形又は矩形であってもよい。中心部３０，４０についても同様である。
【００５２】  上記実施形態においては、尿取パッド１が平面視で矩形である場合を例示した。しかし、尿取パッド１の平面形状は、任意であり、例えば楕円形又は円形であってもよい。尿取パッド２，３についても同様である。
【００５３】  上記実施形態においては、中心部１０が周辺部２０よりも高い吸水性を有する場合を例示した。しかし、中心部１０は、周辺部２０と等しい吸水性を有していてもよいし、周辺部２０より低い吸水性を有していてもよい。中心部３０，４０についても同様である。
【００５４】  上記実施形態においては、中心部１０の厚みが周辺部２０の厚みよりも大きい場合を例示した。しかし、中心部１０の厚みは、周辺部２０の厚みに等しくてもよいし、周辺部２０の厚みより小さくてもよい。中心部３０，４０についても同様である。
【００５５】  上記実施形態においては、中心部１０が、内側シート１４、外側シート１６及び吸水層１８からなる三層構造を有する場合を例示した。しかし、中心部１０は、吸水性を有する限り、一層構造又は二層構造であってもよい。また、中心部１０と周辺部２０とで、層構造が異なっていてもよい。中心部３０，４０についても同様である。
【符号の説明】
【００５６】１  尿取パッド２  尿取パッド３  尿取パッド１０  中心部１４  内側シート１６  外側シート１８  吸水層２０  周辺部３０  中心部３２  裂開予定部４０  中心部４２  裂開予定部５０  可塑性部材６２  ポケット６４  ポケット７０  吸水性シート７２  吸水性シート７４  吸水性シート９０  陰茎
【図１】
2017208410.tif 000003
【図２】
2017208410.tif 000004
【図３】
2017208410.tif 000005
【図４】
2017208410.tif 000006
【図５】
2017208410.tif 000007
【図６】
2017208410.tif 000008
【図７】
2017208410.tif 000009
【図８】
2017208410.tif 000010
【図９】
2017208410.tif 000011
【図１０】
2017208410.tif 000012
【図１１】
2017208410.tif 000013
【図１２】
2017208410.tif 000014
【図１３】
2017208410.tif 000015
【図１４】
2017208410.tif 000016
【図１５】
2017208410.tif 000017
【図１６】
2017208410.tif 000018
【図１７】
2017208410.tif 000019
【図１８】
2017208410.tif 000020
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
陰茎から排泄される尿を吸収する尿取パッドであって、
前記陰茎が当接する中心部と、
前記中心部を包囲するように設けられ、非装着時に平面形状を有する周辺部と、を備え、
前記中心部は、前記周辺部が前記平面形状を保った状態で、外側に膨れるように構成されており、
前記中心部には、前記陰茎が当該中心部を貫通できるように裂開する部分である裂開予定部が設けられており、
前記裂開予定部は、前記中心部及び前記周辺部のうち前記中心部にのみ設けられていることを特徴とする尿取パッド。
【請求項２】
請求項１に記載の尿取パッドにおいて、
前記中心部は、前記周辺部よりも高い吸水性を有する尿取パッド。
【請求項３】
請求項２に記載の尿取パッドにおいて、
前記中心部の厚みは、前記周辺部の厚みよりも大きい尿取パッド。
【請求項４】
請求項１乃至３の何れかに記載の尿取パッドにおいて、
前記中心部は、高吸水性樹脂を含有している尿取パッド。
【請求項５】
請求項４に記載の尿取パッドにおいて、
前記高吸水性樹脂は、前記中心部及び前記周辺部のうち前記中心部にのみ含有されている尿取パッド。
【請求項６】
請求項１乃至５の何れかに記載の尿取パッドにおいて、
前記裂開予定部は、当該尿取パッドの上下方向に延びている尿取パッド。
【請求項７】
請求項１乃至６の何れかに記載の尿取パッドにおいて、
前記裂開予定部は、当該裂開予定部の延在方向について、前記中心部の全体にわたって設けられている尿取パッド。
【請求項８】
請求項１乃至７の何れかに記載の尿取パッドにおいて、
前記中心部には、前記裂開予定部に沿って予め切目が形成されている尿取パッド。
【請求項９】
請求項８に記載の尿取パッドにおいて、
前記中心部における前記裂開予定部の一方の側に広がる部分と、前記中心部における前記裂開予定部の他方の側に広がる部分とは、前記裂開予定部において互いに重なり合っている尿取パッド。
【請求項１０】
請求項１乃至７の何れかに記載の尿取パッドにおいて、
前記中心部は、前記裂開予定部の両側を引っ張ったときに初めて、当該裂開予定部に沿った切目が生じるように構成されている尿取パッド。
【請求項１１】
請求項１０に記載の尿取パッドにおいて、
前記中心部には、前記裂開予定部に沿ってミシン目が形成されている尿取パッド。
【請求項１２】
請求項１乃至１１の何れかに記載の尿取パッドにおいて、
当該尿取パッドの上端部の近傍には、当該尿取パッドの上下方向に延びる線状の可塑性部材が取り付けられている尿取パッド。
【請求項１３】
請求項１乃至１２の何れかに記載の尿取パッドにおいて、
当該尿取パッドは、水洗トイレに流すことが可能である尿取パッド。
【国際調査報告】
2017208410.tif 000021
2017208410.tif 000022
2017208410.tif 000023
2017208410.tif 000024